(57)【要約】      （修正有）【課題】ケーブル管路のケーブル引き抜きの際に、引き抜き用牽引装置との接続用カップ部材をケーブル端部に容易に確実に係合固定できる接続補助装置を提供する。【解決手段】ケーブル端部Ｃ１に被着可能な筒形カップ状をなし、その端壁に多数のピン打ち込み用孔３が形成されてなるカップ部材１と、カップ部材１をケーブル端部Ｃ１に被着した状態においてピン打ち込み用孔３よりケーブル端部Ｃ１に対し端壁に係合する位置までねじ込み可能なねじ釘状の係合ピン５とからなり、係合ピン５のねじ込みによりケーブル端部Ｃ１をカップ部材１に係合固定できるようにする。【選択図】図３
0003113297.tif 000002
【実用新案登録請求の範囲】
【請求項１】
ケーブル管路のケーブルを引き抜く際に、引き抜き用牽引装置をケーブル端部に接続するために用いる接続補助装置であって、
前記ケーブルの端部に被着可能な筒形カップ状をなし、かつその端壁に多数のピン打ち込み用孔が形成されてなる接続用カップ部材と、該カップ部材を前記ケーブル端部に被着した状態において前記ピン打ち込み用孔よりケーブル端部に対し前記端壁に係合する位置までねじ込み可能なねじ釘状の係合ピンとからなり、該係合ピンの複数本のねじ込みによりケーブル端部を前記カップ部材に対し係合固定できるようにしたことを特徴とするケーブル管路のケーブル引き抜き用の接続補助装置。
【請求項２】
前記カップ部材の端壁には、径を異にする複数種のピン打ち込み用孔が配置形成されるとともに、これに対応する径を異にする複数種の係合ピンを備えてなる請求項１に記載のケーブル管路のケーブル引き抜き用の接続補助装置。
【請求項３】
前記カップ部材の前記端壁側には、引き抜き用牽引装置の牽引用アダプターを接続するための接続部として、その端部外周にねじが形成され、該ねじ部に対し前記牽引用アダプターが螺合自在に設けられてなる請求項１又は２に記載のケーブル管路のケーブル引き抜き用の接続補助装置。
【考案の詳細な説明】
【技術分野】
【０００１】
本考案は、死線となって放置されている地下のケーブル管路の残置ケーブル等のケーブルを引き抜く際に引き抜き用牽引装置をケーブル端部に接続するために用いるケーブル引き抜き用の接続補助装置に関するものである。
【背景技術】
【０００２】
地下のケーブル管路に布設されている通信ケーブル等の使用を廃止した場合、継接用や分岐用のマンホールで切断されてそのまま放置されていることが多い。これを残置ケーブルと言う。
【０００３】
近年、光ケーブル等の新ケーブルを布設する場合、既存のケーブル管路を利用することが行われている。この際、既存のケーブル管路に前記のような残置ケーブルが存する場合は、これを引き抜き除去する必要がある。しかし、前記残置ケーブルは、長年にわたって埋設使用されているために、泥や汚れあるいは錆等によって管路内面に密着した状態となっていることが多い。そのため、前記ケーブルの引き抜きには、ウインチやジャッキ等を利用した引き抜き装置や牽引装置が用いられる。
【０００４】
ケーブル引き抜き装置として、特許文献１のように、ケーブル端部を掴持するケーブルチャックとジャッキ装置を組合せたものがあるが、この装置の場合は、管路から突出しているケーブル端部の周辺に該装置をセットできるスペースを有すること、ケーブル端部が所定の長さを有することが必要であり、その使用可能な範囲が限られている。特に、ケーブル端部の腐食部分を切除したりして、その長ささが短い場合には使用できないことになる。
【０００５】
そのため、ケーブル端部の周辺のスペースガ小さい場合、あるいはケーブル端部の長さが短い場合等、該ケーブル端部に被着固定できる簡易な接続用の部材を用いて引き抜き用の牽引装置を接続することが多い。
【０００６】
例えば、図８〜図１０のように、端壁５２に多数のピン打ち込み用孔５３及び固定用樹脂の注入孔５４、並びに締結用ボルト孔５９を有する接続用のカップ部材５１を用い、該カップ部材５１を前記ケーブル端部Ｃ１に被着した状態で、前記ピン打ち込み用孔５３より多数のアンカーピン５５をハンマー６０により打ち込んでケーブル端部Ｃ１を締付けるとともに、前記注入孔５４よりポンプ５６等により樹脂を注入し固化させることにより、ケーブル端部Ｃ１にカップ部材５１を固定し、このカップ部材５１に対して牽引用の鋼棒５７を固設した連結部材５８を前記カップ部材５１に対しボルト締結することにより、牽引装置を連結するようにしている。
【０００７】
しかしながら、前記アンカーピン５５の打ち込みは、比較的狭いマンホールでのハンマー６０による打ち込み作業になるため容易でなく、しかも打ち込み本数が増えるほど硬くなることから強い力を必要とし、多大な労力と時間を要することになる。さらに、注入樹脂の固化を待つ必要があり、非能率的な作業になっている。また、樹脂により固めるために、前記カップ部材やアンカーピンを再利用できないという問題もある。
【考案の開示】
【考案が解決しようとする課題】
【０００８】
本考案は、上記に鑑みてなしたもので、ケーブル管路の残置ケーブル等のケーブル引き抜きの際に、引き抜き用牽引装置との接続用カップ部材をケーブル端部に対し容易にかつ樹脂注入を要さずに確実に係合固定でき、その作業効率を向上できる接続用補助装置を提供するものである。
【課題を解決するための手段】
【０００９】
上記の課題を解決する本考案は、ケーブル管路のケーブルを引き抜く際に、引き抜き用牽引装置をケーブル端部に接続するために用いる接続補助装置であって、前記ケーブルの端部に被着可能な筒形カップ状をなし、かつその端壁に多数のピン打ち込み用孔が形成されてなる接続用カップ部材と、該カップ部材を前記ケーブル端部に被着した状態において前記ピン打ち込み用孔よりケーブル端部に対し前記端壁に係合する位置までねじ込み可能なねじ釘状の係合ピンとからなり、該係合ピンの複数本のねじ込みによりケーブル端部を前記カップ部材に対し係合固定できるようにしたことを特徴とするものである。
【００１０】
この接続用補助装置によれば、前記接続用カップ部材をケーブル端部に被着した状態で前記ねじ釘状の複数本の係合ピンを前記カップ部材の端壁に有するピン打ち込み用孔より前記ケーブル端部にねじ込んで、該ケーブル端部を締め付ける。特に、係合ピンのねじ込みは、電動ドライバー等の電動工具を使って容易にねじ込むことができる。この際、電動工具の所要トルクで耐引張力を予測することも可能になる。
【００１１】
しかも、係合ピンをねじ込むことにより、ケーブル端部において、前記係合ピンがケーブル中の線材に対してねじ山の部分が食い込むようになって係合するため、従来のような樹脂注入による固化を要することなく強固に係合固定でき、引き抜き時の滑りを規制でき、確実に引き抜くことができる。また、前記のように樹脂を使用しないため、従来の樹脂の固化のための待ち時間を不要にでき、作業時間を短縮できることもなる。さらに樹脂を使用しないため、接続用カップ部材や係合ピンを再利用できることにもなる。
【００１２】
前記カップ部材の端壁には、径を異にする複数種のピン打ち込み用孔が配置形成されるとともに、これに対応して径を異にする複数種の係合ピンを備えてなるものが好ましい。これにより、径の異なる複数種の係合ピンを適宜組み合わせて、ケーブル端部の断面の全体にわたってに不足なく前記係合ピンをねじ込むことができ、ケーブル端部全体を略均等に強く締め付けて、外周面を前記カップ部材の内周面に圧接した状態にして確実に係合固定できる。そのため、引き抜き時の滑り規制の効果を高め、引き抜き装置との接続効果を大きくすることができる。
【００１３】
前記カップ部材の前記端壁側には、引き抜き用牽引装置の牽引用アダプターを接続するための接続部として、その端部外周にねじが形成され、該ねじ部に対し前記牽引用アダプターが螺合自在に設けられてなる。これにより、前記牽引用アダプターを螺合操作により簡単に且つ確実に結合できて、前記牽引装置と容易に接続でき、引き抜き作業を容易に行うことができる。また、従来のような接続用ボルトをねじ込むためのねじ孔が不要になるため、この部分にも係合ピンをねじ込むためのピン打ち込み用孔を形成しておくことができ、係合ピンのねじ込み本数を多くして、かつケーブル端部全体に略均等な間隔でねじ込むことができ、さらに強固に係合連結できることになる。
【考案の効果】
【００１４】
上記したように本考案のケーブル引き抜き用の接続補助装置によれば、引き抜き対象のケーブル端部と引き抜き用の牽引装置との接続操作が簡単になるとともに、樹脂による固化を必要とせず、容易にして確実に係合連結できる。そのため、残置ケーブル等のケーブル引き抜き作業に要する手数を大幅に軽減できる。
【考案を実施するための最良の形態】
【００１５】
次に本考案の実施の形態を図面に示す実施例に基づいて説明する。
【００１６】
図１は、本考案のケーブル引き抜き用の接続補助装置の１実施例の接続用カップ部材と係合ピンを示す斜視図である。図２は接続用カップ部材の正面図、図３は接続用カップ部材の断面図、図４は牽引用アダプターを例示する側面図、図５〜図７はケーブル引き抜きのための接続用カップ部材および牽引用アダプターの接続操作状態の断面説明図である。
【００１７】
本考案の接続補助装置は、例えば地下のケーブル管路Ｐの残置ケーブル等のケーブルＣを引き抜くの際に、ジャッキ等を利用する引き抜き用牽引装置（図示せず）をケーブルの端部Ｃ１に接続するのに用いるものであり、図のような接続用のカップ部材１と、所要数のねじ釘状の係合ピン５との組合せからなる。
【００１８】
前記カップ部材１は、ケーブル端部Ｃ１に対し被着可能な円筒形のカップ状をなしており、図２のように、その端壁２には、略全域に渡って略均一な配置で、前記係合ピン５を貫通できる多数のピン打ち込み用孔３が形成されている。図の場合、前記ピン打ち込み用孔３としては、径を異にする複数種のピン打ち込み用孔３ａ，３ｂ，３ｃがそれぞれ形成されている。具体的には、大径、中径、小径の３種の円形の孔３ａ，３ｂ，３ｃが、端壁の中央に一つの最も大径の孔３ａが形成されるとともに、その周囲に中径の孔３ｂが同心円上に複数形成され、さらにその外方の同心円上に最も小径の孔３ｃが前記中径の孔３ｂとは位置をずらせて形成されており、全体として略均等な配置をなすように形成されている。前記中径の孔３ｂと小径の孔３ｃとを同心円上に交互に配置しておくこともできる。これらの各ピン打ち込み用孔３（３ａ，３ｂ，３ｃ）の数や径及びその配置は、端壁２の面積等に応じて適宜設定でき、全体的に均等な配置をなすように形成される。
【００１９】
また、前記係合ピン５は、前記カップ部材１をケーブル端部Ｃ１に被着した状態において前記打ち込み用孔３を貫通して内部のケーブル端部Ｃ１に対しねじ込み可能な所要長さのねじ釘状をなし、前記端壁２に対し係止する頭部１５を有してなる。この係合ピン５についても、前記ピン打ち込み用孔３（３ａ，３ｂ，３ｃ）に対応して径を異にする複数種、例えば図１のように３種のピン５ａ，５ｂ，５ｃよりなり、それぞれ前記大径、中径、小径の３種のピン打ち込み用孔３ａ，３ｂ，３ｃを通してねじ込み得るように設けられている。この係合ピン５（５ａ，５ｂ，５ｃ）は、それぞれ少なくとも前記ピン打ち込み用孔３（３ａ，３ｂ，３ｃ）と同本数程度を備えておくものとする。
【００２０】
前記係合ピン５（５ａ，５ｂ，５ｃ）の長さは、適宜設定できるが、少なくとも前記カップ部材１の筒部の長さと同程度以上であるのが、カップ部材１内部でのケーブル端部Ｃ１の締め付け効果の点から好ましい。前記３種の係合ピン５ａ，５ｂ，５ｃの長さを異にしてもよい。
【００２１】
さらに、前記接続用カップ部材１の端壁２側には、前記引き抜き用牽引装置に備える牽引用アダプター６を接続するための接続部として、その端部外周にねじが形成され、該ねじ部４に対し前記牽引用アダプター６が螺合連結自在に設けられている。
【００２２】
前記牽引用アダプター６は、図４に例示するように、前記ねじ部４に対し螺合可能なねじが内周に形成されたカップ状部６ａを主体として、該カップ状部６ａの端部に、牽引装置に連結される鋼棒や鋼材等の牽引部材６ｂが連設されたもの〔同図の（ａ）〕、あるいは牽引装置側のフック部材を係止できる係止部６ｃが突設されたもの〔同図の（ｂ）〕よりなる。
【００２３】
上記した接続補助装置をケーブル管路Ｐの残置ケーブル等のケーブルＣの引き抜き作業に使用する場合、まず、マンホール等に露出しているケーブル端部Ｃ１に対して接続用のカップ部材１を、前記ケーブル先端が前記カップ部材１の端壁２に当接する位置まで嵌合し被着する（図５）。この際、必要に応じてハンマーを用いて被着する。また、ケーブル端部Ｃ１が腐食している場合はその腐食部分を切除し、さらにケーブル端部の形状が変形している場合には、略円形になるように補整する。
【００２４】
そして、前記カップ部材１のピン打ち込み用孔３より、それぞれの径に対応した係合ピン５を、頭部１５が端壁２に係止する一まで前記カップ部材１内のケーブル端部Ｃ１に対しねじ込み、該ケーブル端部Ｃ１をカップ部材１の内部において締め付ける（図６）。この際、３種の係合ピン５ａ，５ｂ，５ｃを使用する場合、先ず、大径の係合ピン５ａを前記端壁２中央部のピン打ち込み用孔３ａよりねじ込み、次に中径の係合ピン５ｂを中径のピン打ち込み用孔３ｂよりねじ込み、さらに小径の係合ピン５ｃを小径のピン打ち込み用孔３ｃよりねじ込むようにして、前記ケーブル端部Ｃ１の全体を略均等に強く締め付け、前記カップ部材１に対し係合固定する。
【００２５】
この係合ピン５（５ａ，５ｂ，５ｃ）のねじ込みは、例えば電動ドライバー等の電動工具７を用いて行うことができ、これにより、従来のハンマーによるアンカーピンの打ち込みによる場合に比して、容易にかつ短時間でねじ込むことができる。しかも、こうして前記係合ピン５（５ａ，５ｂ，５ｃ）をねじ込むことにより、該係合ピン５（５ａ，５ｂ，５ｃ）がケーブル端部Ｃ１において、ケーブルＣ中の線材に対してねじ山の部分が食い込むようになって係合するため、従来のような樹脂注入により固化させなくても確実に且つ強固に係合固定できる。
【００２６】
次に、前記カップ部材１の端部に有する接続部としてのねじ部４に対し、牽引用アダプター６を螺合して結合すればよく（図７）、これにより牽引装置を容易に且つ強固に接続でき、この接続に要する時間を大幅に短縮でき、また労力を削減できる。
【００２７】
こうして、ケーブル管路Ｐ内のケーブルＣの引き抜きを行うが、この際、前記のように係合ピン５（５ａ，５ｂ，５ｃ）のねじ込みにより確実に且つ強固に係合連結されているため、樹脂注入を利用しなくても滑りや外れ等のおそれなく、確実に引き抜くことができ、その作業効率を向上できる。
【００２８】
そして、前記の引き抜き完了後に、電動ドライバー等の電動工具７を使って、前記係合ピン５逆回転して抜き取って前記カップ部材１をケーブル端部Ｃ１から取り外せば、別のケーブルの引き抜きに再利用できることになる。
【産業上の利用可能性】
【００２９】
本考案は、地下に埋設されるケーブル管路の残置ケーブル等のケーブル引き抜き作業において、ケーブル端部を引き抜き用の牽引装置に接続する差に好適に利用できる。
【図面の簡単な説明】
【００３０】
【図１】本考案のケーブル引き抜き用の接続補助装置の１実施例の接続用カップ部材と係合ピンを示す斜視図である。
【図２】同上の接続用カップ部材の正面図である。
【図３】同上の接続用カップ部材の断面図である。
【図４】（ａ）（ｂ）それぞれ牽引用アダプターを例示する側面図である。
【図５】ケーブル引き抜きのための接続用カップ部材を被着する前の断面説明図である。
【図６】同上の接続用カップ部材を被着して係合品をねじ込む際の断面説明図である。
【図７】同上の接続用カップ部材に牽引用アダプターを結合した状態の断面図である。
【図８】従来の接続用カップ部材の結合操作状態を示す断面説明図である。
【図９】同上の樹脂注入状態の断面説明図である。
【図１０】同上の接続用カップ部材に牽引用の連結部材を連結する状態の断面説明図である。
【符号の説明】
【００３１】
Ｃ…ケーブル、Ｃ１…ケーブル端部、Ｐ…ケーブル管路、１…接続用のカップ部材、２…端壁、３（３ａ，３ｂ，３ｃ）…ピン打ち込み用孔、４…ねじ部、５（５ａ，５ｂ，５ｃ）…係合ピン、６…牽引用アダプター、６ａ…カップ状部、６ｂ…牽引部材、１５…頭部。
【図１】
0003113297.tif 000003
【図２】
0003113297.tif 000004
【図３】
0003113297.tif 000005
【図４】
0003113297.tif 000006
【図５】
0003113297.tif 000007
【図６】
0003113297.tif 000008
【図７】
0003113297.tif 000009
【図８】
0003113297.tif 000010
【図９】
0003113297.tif 000011
【図１０】
0003113297.tif 000012